(57)【要約】【課題】  従来、大量の番組が記録されると様々な番組が混在してしまうため、ユーザはどの番組がどこにあるのかわかりづらく管理が難しいという問題があった。【解決手段】  前記課題を解決するため、番組情報を含む情報信号を受信する受信部と、情報信号を記録する記録部と、情報信号の記録部への記録を制御する制御部と、を備える。番組情報は、番組の第１のカテゴリを示す第１のカテゴリ情報と、番組の第２のカテゴリを示す第２のカテゴリ情報とを含み、制御部は、情報信号を記録部に記録する場合に、第１のカテゴリ情報により情報信号を記録するフォルダを決定し、さらに、第２のカテゴリ情報によりフォルダの下位階層にあるフォルダから情報信号を記録するフォルダを決定し、第２のカテゴリ情報により決定したフォルダに情報信号を記録するように制御する。【選択図】  図１
2006352722.tif 000002
【特許請求の範囲】
【請求項１】
番組情報を含む情報信号を受信する受信部と、
前記情報信号を記録する記録部と、
前記情報信号の記録部への記録を制御する制御部と、を備え、
前記番組情報は、番組の第１のカテゴリを示す第１のカテゴリ情報と、前記番組の第２のカテゴリを示す第２のカテゴリ情報とを含み、
前記制御部は、前記情報信号を前記記録部に記録する場合に、第１のカテゴリ情報により前記情報信号を記録するフォルダを決定し、さらに、第２のカテゴリ情報により前記フォルダの下位階層にあるフォルダから前記情報信号を記録するフォルダを決定し、前記第２のカテゴリ情報により決定したフォルダに前記情報信号を記録するように前記記録部を制御することを特徴とする情報記録装置。
【請求項２】
請求項１記載の情報記録装置において、
前記制御部は、前記第１のカテゴリ情報又は第２のカテゴリ情報により指定されたフォルダが存在しない場合には、前記第１のカテゴリ情報又は第２のカテゴリ情報によりそれぞれ指定されたフォルダを作成し、前記作成されたフォルダに前記情報信号を記録することを特徴とする情報記録装置。
【請求項３】
請求項１記載の情報記録装置において、
前記番組情報を表示する表示部を備え、
前記表示部は、前記番組情報を前記表示部に表示する場合に、前記第１のカテゴリ情報に基づいて分類した情報を表示し、さらに、前記第１のカテゴリ情報の中から特定の情報が選択された場合に、前記第２のカテゴリ情報により分類した情報を表示することを特徴とする情報記録装置。
【請求項４】
請求項１記載の情報記録装置において、
前記第１のカテゴリ情報は、前記番組のジャンルを示すジャンル情報であり、
前記第２のカテゴリ情報は、前記番組がシリーズ番組であることを示すシリーズ情報であることを特徴とする情報記録装置。
【請求項５】
請求項１記載の情報記録装置において、
前記番組情報は、前記番組の第３のカテゴリを示す第３のカテゴリ情報を含み、
前記制御部は、前記情報信号を前記記録部に記録する場合に、前記第２のカテゴリ情報により決定したフォルダのさらに下位階層にあるフォルダから前記情報信号を記録するフォルダを決定し、前記第３のカテゴリ情報により決定したフォルダに前記情報信号を記録するように前記記録部を制御することを特徴とする情報記録装置。
【請求項６】
請求項１記載の情報記録装置において、
前記情報信号はデジタル放送信号であることを特徴とする情報記録装置。
【請求項７】
番組情報を含む放送信号を受信する受信部と、
前記放送信号を記録する記録部と、
前記放送信号の記録部への記録を制御する制御部と、を備え、
前記番組情報は、番組のジャンルを示すジャンル情報を含み、
前記制御部は、前記情報信号を前記記録部に記録する場合に、番組を記録するユーザ毎に前記放送信号を記録するフォルダを決定し、さらに、前記ジャンル情報により前記フォルダの下位階層にあるフォルダから前記放送信号を記録するフォルダを決定し、前記下位階層において決定したフォルダに前記放送信号を記録するように前記記録部を制御することを特徴とする情報記録装置。
【請求項８】
記録媒体に記録された番組情報を含む情報信号を再生する再生部と、
前記再生された番組情報を表示する表示部と、
前記番組情報の前記表示部への表示を制御する制御部と、を備え、
前記番組情報は、番組の第１のカテゴリを示す第１のカテゴリ情報と、前記番組の第２のカテゴリを示す第２のカテゴリ情報とを含み、
前記制御部は、前記番組情報を前記表示部に表示する場合に、前記第１のカテゴリ情報により分類した情報を一覧表示し、前記一覧表示された情報の中から特定の情報が選択されたときは、前記第１のカテゴリ情報により分類された情報の下位階層の情報として、前記第２のカテゴリ情報により分類した情報を一覧表示するよう制御することを特徴とする情報再生装置。
【請求項９】
請求項８記載の情報再生装置において、
前記第１のカテゴリ情報は、前記番組のジャンルを示すジャンル情報であり、
前記第２のカテゴリ情報は、前記番組がシリーズ番組であることを示すシリーズ情報であることを特徴とする情報再生装置。
【請求項１０】
請求項８記載の情報再生装置において、
前記情報信号はデジタル放送信号であることを特徴とする情報再生装置。
【請求項１１】
所定の放送サービスで放送される番組を案内する番組データに基づいて番組を管理する階層型カテゴリ管理機能を有する情報記録装置において、
番組の番組データからあらかじめ指定したカテゴリ階層とそのカテゴリ属性に合わせて自動的に同じカテゴリ属性を持つカテゴリ階層を選択し、前記カテゴリ階層の最下位層まで番組をカテゴリ属性と関連付け、その結果生成された階層構造を自動的に各カテゴリのGUI（Graphical User Interface）として表示を行うことを特徴とする情報記録装置。
【請求項１２】
請求項１１記載の情報記録装置において、
前記カテゴリ以下のツリーに録画済番組が関連付けされていなかった場合、そのカテゴリと下位カテゴリ階層をGUI（Graphical User Interface）表示させず、自動的にカテゴリ階層を削除されたようにGUI（Graphical User Interface）表示することを特徴とする情報記録装置。
【請求項１３】
請求項１１記載の情報記録装置において、
関連付けられた同じカテゴリ内の下位カテゴリ階層や番組群に対して、一括で各カテゴリ階層の関連付けをはずす、もしくは他の属性に関連付けを置き換えることを特徴とする情報記録装置。
【請求項１４】
請求項１１記載の情報記録装置において、
情報記録装置に用意されていないカテゴリ属性を番組データから取得した場合、新カテゴリとしてそのカテゴリを登録する機能を特徴とする情報記録装置。
【発明の詳細な説明】
【技術分野】
【０００１】
本発明は、情報を記録媒体に記録する情報記録装置又は記録媒体から情報を再生する情報再生装置に関する。
【背景技術】
【０００２】
近年、情報記録装置の記録媒体の大容量化に伴い、大量の番組を記録しておくことすることができるようになった。このような場合、ユーザは記録された大量の番組の中から所望の番組を探し当てることが困難である。このような状況に鑑みて、従来、次のような技術が提案されている。
【０００３】
即ち、特許文献１（特開２００４−３４３５２０号公報）には、記録されたシリーズ番組を一覧表示する技術が開示されている。
【０００４】
また、特許文献２（特開平９−２５２４４６号公報）には、放送局から送信された番組階層別情報を用いて所定のグループ単位で記録する技術が開示されている。
【０００５】
【特許文献１】特開２００４−３４３５２０号公報
【特許文献２】特開平９−２５２４４６号公報
【発明の開示】
【発明が解決しようとする課題】
【０００６】
しかしながら、上記の従来技術においては、大量の番組が記録されると様々な番組が混在してしまうため、ユーザはどの番組がどこにあるのかわかりづらく管理が難しいという問題があった。
【０００７】
例えば、上記従来技術においては、ユーザ名、番組のジャンル、番組のシリーズ名、エピソード番号等で階層的なフォルダ構造を作成することは記載されておらず、番組を適切な最下層のフォルダに記録することについても記載されていない。また、受信した放送信号に含まれる情報に基づいて、自動的に必要なフォルダを作成することも記載されていない。さらに、このような階層的な構造に基づいて、ユーザ別、番組のジャンル別、番組のシリーズ別、エピソード別に記録された番組を一覧表示するような技術についても開示がない。
【０００８】
このような場合、ユーザは階層的なフォルダを自ら作成しなければならず、また、番組を記録するたびに適切なフォルダに番組を移動しなければならないため使い勝手が悪い。また、階層的な構造に基づいた一覧表示ができないため、所望の番組を探すのに戸惑う場合もあると考えられる。
【０００９】
そこで、本発明は、上記課題を解決し、使い勝手の良い情報記録装置および情報再生装置を提供することを目的とする。
【課題を解決するための手段】
【００１０】
上記課題を解決するため、本発明は、番組情報を含む情報信号を受信する受信部と、情報信号を記録する記録部と、情報信号の記録部への記録を制御する制御部と、を備える。番組情報は、番組の第１のカテゴリを示す第１のカテゴリ情報と、番組の第２のカテゴリを示す第２のカテゴリ情報とを含み、制御部は、情報信号を記録部に記録する場合に、第１のカテゴリ情報により前記情報信号を記録するフォルダを決定し、さらに、第２のカテゴリ情報によりフォルダの下位階層にあるフォルダから情報信号を記録するフォルダを決定し、第２のカテゴリ情報により決定したフォルダに情報信号を記録するように制御する。
【発明の効果】
【００１１】
本発明によれば、使い勝手の良い情報記録装置および情報再生装置を提供することが可能になる。
【発明を実施するための最良の形態】
【００１２】
まず、本発明の実施の形態の概要について説明する。本発明の実施の形態では、受信したデジタル放送の信号から取得できる番組データから必要な情報を取得し、その情報に基づいて管理テーブルを構築していくことで階層型カテゴリ管理機能を実現し、それに基づいてシリーズ番組の属性単位での管理を実現する。
【００１３】
階層型カテゴリ管理機能とは、各管理テーブルに基づいて各階層にカテゴリ属性を持たせ、階層単位での番組の編集等を可能にする機能である。例えば、第１階層：ユーザ名(父)、第２階層：大ジャンル名(ドラマ)、第３階層：中ジャンル名(国内ドラマ)、第４階層：シリーズ名(ドラマA)、第５階層：エピソード名(第１話)のように、各階層にカテゴリ属性を持たせ下位層はその属性を考慮したカテゴリ属性を定義するようになっており、各属性単位で下位属性や番組の編集や一括削除、ダビング等の管理機能を有するようになっており、各階層をＧＵＩ（Graphical User Interface）上で表示する機能を有するようになっている。
【００１４】
各管理テーブルの具体例としては、例えばカテゴリ管理テーブル、シリーズ管理テーブル、番組管理テーブル等があり、各管理テーブルで属性、シリーズ情報、番組を管理し、それぞれの管理テーブルが内容を参照しあうことで、各管理テーブルの構築を実施しやすくなり、階層型でのカテゴリ管理機能が実現される。詳細は後述するが、各官吏テーブルはそれぞれ以下のように情報を管理する。
【００１５】
カテゴリ管理テーブルでは、カテゴリ管理を行うために必要な項目、例えば属性名、カテゴリ属性、ユーザ名、タイトル収録数などの属性関連項目等が管理され、さらにシリーズ番組の情報や各番組情報を参照するようになっている。ここで、シリーズ番組とは、一定期間に定期的（例えば毎週月曜日午後８時から午後９時まで、など）に放送される番組（シリーズ番組）であり、放送局側が番組データのシリーズ記述子で定義している番組である。具体的には、ドラマ、アニメ等が挙げられる。シリーズ記述子の一例としては、シリーズ番組群が分類する固有の識別子としてシリーズIDがあり、これを用いて異なるシリーズ番組が管理される。
【００１６】
また、シリーズ管理テーブルでは、シリーズ番組のタイトル、シリーズ番組の編成パターン、エピソード数、総エピソード数等が管理され、番組管理テーブルでは各番組固有の番組関連項目が管理される。
【００１７】
また、番組管理テーブルでは、録画済番組の管理を行うために必要な項目、例えば録画タイトルＩＤ、録画画質、録画ＣＨ、録画日時等が管理される。
【００１８】
以上、本発明の実施の形態の概要について説明した。以下、図面を用いて詳細に説明する。
【００１９】
図1は、本発明の実施の形態の一例であるＢＳデジタル放送受信機の概略構成を示すブロック図である。ここでは以下、デジタル放送の例としてＢＳデジタル放送を用いて説明を行うが、ＣＳデジタル放送や地上波で放送される地上波デジタル放送等のいわゆるデジタル放送においても、この発明は実施可能である。
【００２０】
ここでは、放送される番組のデジタル放送信号を記録するデジタル記録再生装置について説明する。
【００２１】
図１において、デジタル記録再生装置は、選局されている番組の放送を受信する受信部１０１と、受信した放送信号に多重化されている番組データ情報を分離する番組データ分離部１０２と、カテゴリ管理テーブルとシリーズ管理テーブル、番組管理テーブルを構築する管理テーブル構築部１０３と、構築したカテゴリ管理テーブル構成内容データを記録・保持するカテゴリ管理テーブル記録部１０４と、構築したシリーズ管理テーブル構成内容データを記録・保持するシリーズ管理テーブル記録部１０５と、構築した番組管理テーブル構成内容データを記録・保持する番組管理テーブル記録部１０６と、構築された各管理テーブル構成内容データ及び記録の状態に関する情報から表示すべき属性リストデータもしくはコンテンツリストデータを作成し表示する番組一覧リスト表示部１０７と、ストリームデータの記録／再生を制御する記録再生制御部１０８と、ストリームデータの記録（録画）媒体への書き込み及び記録（録画）媒体からの読み出しを行う記録再生部１０９と、ストリームデータのデコード処理を行うデコード部１１０と、デコードされた映像信号とコンテンツリスト表示とを重ね合わせて表示する多重化部１１１と、番組として録画されているコンテンツから任意の番組を選択し、記録再生制御部に再生開始指示を送る番組選択部１１２とを備えて構成される。なお、各種表示は、例えば録画した画像を映す機器（例えばLCD、PDP等の表示装置）の画像表示用の画面（図示せず）や、それとは別に設けた表示パネル（図示せず）などを用いて行っても良い。
【００２２】
図１において、受信部１０１は放送信号Ｓ１０１を受信し、特定の１つ又は複数の番組放送を選択し、次処理にて利用可能な放送ストリームＳ１０２とする処理部であり、放送を受信するアンテナ及び受信信号を選択するチューナー及び番組を前処理するデスクランブラ等により構成される。受信部１０１で受信した放送ストリームＳ１０２は、番組データ情報が多重化されて送信されている。
【００２３】
番組データ情報分離部１０２では、受信した放送信号に多重化されている番組データ情報Ｓ１０３を分離し、分離した番組データ情報Ｓ１０３を管理テーブル構築部１０３に送るとともに、記録ストリームＳ１１２を記録再生制御部１０８に送る。
【００２４】
管理テーブル構築部１０３では、番組データ情報Ｓ１０３からカテゴリ管理テーブル構成内容データとシリーズ管理テーブル構成内容データ、番組管理テーブル構成内容データＳ１０４を構築し、まずカテゴリ管理テーブル記録部１０４により、構築したカテゴリ管理テーブル構成内容データと、関連するシリーズ管理テーブル構成内容データと番組管理テーブル構成内容データの関連付けをして記録（保持）する。
【００２５】
シリーズ管理テーブル記録部１０５では、シリーズ管理テーブル構成内容データＳ１０５から構築したシリーズ管理テーブル構成内容データとカテゴリ管理テーブルとの関連付けを記録（保持）する。
【００２６】
番組管理テーブル記録部１０６では、番組管理テーブル構成内容データＳ１０６から構築した番組管理テーブル構成内容データ（録画ストリームファイル名、録画ストリーム録画時間、録画ストリームの属性など）とカテゴリ管理テーブルとの関連付けを記録（保持）する。
【００２７】
また、管理テーブル構築部１０３は、記録再生制御部１０８から番組情報（録画ストリームファイル名、録画ストリーム録画時間、録画ストリームの属性など）Ｓ１１６を取得して、シリーズ管理テーブル構成内容データとして保持している各シリーズ番組の情報（番組名、シリーズＩＤ、エピソード番号など）から再生可能なコンテンツを判定し、構築したシリーズ管理テーブル構成内容データ内の各番組に、再生可能かどうかを表す録画ステータス情報を付加する。
【００２８】
一方、受信部１０１で受信した放送ストリームＳ１０２から番組データ情報分離部１０２にて分離した記録ストリームＳ１１２は、記録再生制御部１０８に送られ、記録再生部１０９で記録デバイスへの記録を行う。また、記録再生制御部１０８は、記録再生部１０９によって記録デバイスから読み出された記録・再生ストリームＳ１０８をデコード部１１０へ送る。記録再生制御部１０８は、記録再生部１０９に対して、読み出す再生ストリームを指定することにより、再生ストリームを制御する。また、再生ストリームの読み出し間隔や読み出し単位を指定することによって早送り／早戻し再生の制御を行う。
【００２９】
ここで、記録再生制御部１０８は、放送番組を記録デバイスに記録する場合に、第1のカテゴリ情報即ちジャンル（大分類）やユーザ名により放送番組を記録するフォルダを決定し、さらに、第２のカテゴリ情報即ちジャンル（小分類、中分類等）により前記フォルダの下位階層にあるフォルダから放送番組を記録するフォルダを決定し、第２のカテゴリ情報により決定したフォルダに前記情報信号を記録するように記録際西部１０９を制御する。
【００３０】
また、第１のカテゴリ情報で指定されたフォルダが存在しない場合や、第２のカテゴリ情報で指定されたフォルダが存在しない場合には、第１のカテゴリ情報又は第２のカテゴリ情報によりそれぞれ指定されたフォルダを作成し、作成されたフォルダに放送番組を記録する
デコード部１１０では、記録再生制御部１０８から受信した再生ストリームＳ１０８を復号処理して映像データＳ１１０を作成する。映像データＳ１１０は多重化部１１１により他表示と多重化され映像出力Ｓ１１３として出力される。
【００３１】
録画した番組の一覧表を表示する場合、番組一覧リスト表示部１０７は管理テーブル構築部１０３からカテゴリ管理テーブル構成内容データとシリーズ管理テーブル構成内容データ、番組管理テーブル構成内容データＳ１０４を取得するのと同時に、番組を再生中の場合は記録再生制御部１０８から現在再生中の番組情報（再生ストリームファイル名など）Ｓ１１４を取得する。番組一覧リスト表示部１０７では、これらの情報から、録画済み／未録画や視聴中といった情報を含めた番組リスト表示用データＳ１０９を構成することが可能である。また、シリーズ番組が再生可能か予約可能かといった属性から、シリーズ番組の再生可能／予約可能である番組が識別できる表示方式（背景色、枠形状の変更等）としてシリーズリストも表示用として構成する。構成された番組リスト表示用データＳ１０９は、多重化部１１１によって映像データＳ１１０に多重化され映像出力Ｓ１１３として表示部に出力される。
【００３２】
表示された番組一覧リストにおいて、シリーズ番組が再生可能である番組が選択決定動作等により指定されたことを番組一覧リスト表示部１０７により検出した場合、番組一覧リスト表示部１０７より番組選択部１１２へ番組選択情報Ｓ１１１が通知される。番組選択部１１２は、この情報から番組再生選択情報（再生ストリームファイル名など）Ｓ１１７を特定し、記録再生制御部１０８へ通知する。
【００３３】
記録再生制御部１０８は前述の方法により、番組再生選択情報に該当する再生ストリームを読み出すように再生制御を行う。読み出された番組再生の再生ストリームは前述の手段によりデコードされ出力される。
【００３４】
図２および図１３は、放送ストリーム内にある番組データの構成を示す図であり、放送ストリームは映像、音声、番組データ情報の各パケットを有し、この番組データ情報パケットはヘッダと情報からなる。ここで、ＢＳデジタル放送における番組データ情報はＳＩ（Ｓｅｒｖｉｃｅ Ｉｎｆｏｒｍａｔｉｏｎ）情報に相当する。
【００３５】
図２において、これはＡＲＩＢ標準規格から整理したデジタル放送に使用する番組配列情報の一部であるSeries Descriptor（シリーズ記述子） の構成であり、本実施例では、この番組データを利用することでシリーズ管理テーブルを形成する。
【００３６】
また、図２に示すように、前記シリーズ情報は、シリーズ記述子の記述にあるｓｅｒｉｅｓ＿ｉｄ（シリーズＩＤ）、ｅｐｉｓｏｄｅ＿ｎｕｍｂｅｒ（エピソード番号）、ｌａｓｔ＿ｅｐｉｓｏｄｅ＿ｎｕｍｂｅｒ（総エピソード数）、ｓｅｒｉｅｓ＿ｎａｍｅ＿ｃｈａｒ（番組名）であってもよい。
【００３７】
図１３において、これはＡＲＩＢ標準規格から整理したデジタル放送に使用する番組配列情報の一部であるContent Descriptor  （コンテント記述子） の構成であり、本実施例では、この番組データを利用することでカテゴリ管理テーブルを形成する。
【００３８】
図１４において、これはコンテンツ記述子に記載されているジャンル項目の一部である。
図３は、カテゴリ管理テーブルの一例である。このカテゴリ管理テーブルは、属性を管理するためのもので、各々の属性ID３０１やカテゴリ属性３０３、番組ID３０２、シリーズＩＤ３０４などから構成され、属性関連項目の情報を記録(保持)するものとする。
【００３９】
上記、カテゴリ管理テーブルは番組ＩＤ３０２やシリーズＩＤ３０４から番組管理テーブルやジャンル管理テーブルの内容を参照するものとする。
【００４０】
図３内のカテゴリＩＤ(第１階層-第５階層)とカテゴリ属性(第１階層-第５階層)はそれぞれ対応している。
【００４１】
図４は、シリーズ管理テーブルの一例である。このシリーズ管理テーブルは、シリーズを管理するためのもので、各々のシリーズや話数（エピソード番号）などを特定する情報として、シリーズを識別するシリーズＩＤ４０１、シリーズの名前となるシリーズタイトル４０２、シリーズ内の総話数を表す総エピソード数４０３、シリーズ内の話数を表すエピソード番号４０４、番組の録画状態を示す録画ステータス（録画済み・未録画・録画予約など）４０５、番組の放送日や放送予定日を示す放送日４０６、番組の放送時間帯を示す放送時間４０７などから構成され、シリーズ関連項目の情報を記録(保持)するものとする。
図４では、シリーズ管理テーブルの、シリーズタイトル名：ドラマＡのシリーズＩＤが１、シリーズタイトル名：ドラマＢのシリーズＩＤが２、シリーズタイトル名：アニメＡのシリーズＩＤが３として、それぞれ記録されている。
【００４２】
エピソード番号４０４とシリーズ内の話数は一対一で対応しているため、シリーズＩＤ１のシリーズドラマＡにおける第１話コンテンツＡ−１と、第２話コンテンツＡ−２と、第３話コンテンツＡ−３と、第４話コンテンツＡ−４とが、それぞれエピソード番号１，２，３，４として、またそれぞれの録画ステータス情報が録画済みとして記録されており、カテゴリ管理テーブルを介して番組管理テーブルを参照することで、番組管理テーブルから録画番組情報を取得する。
【００４３】
図５は、番組管理テーブルの一例である。この番組管理テーブルは、録画済番組情報を管理するためのもので、各々の番組を特定する情報として、各録画済み番組に割り当てる録画番組ＩＤ５０１、録画番組のタイトル情報である録画タイトル名５０２、録画番組の画質情報である録画画質５０３、録画番組のチャンネル情報である録画ＣＨ５０４、番組の録画を開始した日時情報である録画日時５０５、録画番組の録画時間情報である録画時間５０６などから構成され、録画済番組関連項目の情報を記録(保持)するものとする。
【００４４】
図６は各管理テーブルの構成の一例である。カテゴリ管理テーブルを中心にして管理テーブル同士でお互いのデータを参照できるものとする。ところで、各管理テーブルは、番組を録画したハードディスク等の媒体（録画媒体）中に格納してもよく、また、メモリ等の記憶媒体中に格納してもよい。
【００４５】
図７〜１１は、各管理テーブルに記録したデータを表示画面にGUI（Graphical User Interface）表示した一例である。図７を例にこの構成を説明する。このGUI 表示構成は、カテゴリ属性を一覧表示したカテゴリ表示７０１、カテゴリ属性をシリーズ番組関連ごとに纏めたシリーズカテゴリ７０２、ユーザ定義したカテゴリなどを表示する通常カテゴリ７０３、削除番組を一時格納するゴミ箱７０４、収録した番組を全て表示する全収録番組７０５、カテゴリを表示するカテゴリ表示７０６、各カテゴリに対する画面(ユーザ定義、機器側定義可能)を表示するカテゴリ画面７０７、そのカテゴリ以下に収録されている収録数７０８、そのカテゴリ以下に存在するカテゴリ数７０９、そのカテゴリ以下に存在する未再生番組の有無７１０、削除保護や他人が視聴しないようにするための視聴制限の機能であるロックの有無７１１、そのカテゴリのタイトル名であるカテゴリタイトル７１２で構成されるものとする。
【００４６】
図８については、第２階層：ジャンル名(大分類)、図９については、第３階層：ジャンル名(中分類)、図１０については、第４階層：シリーズ名、図１１については、第５階層：エピソード、のそれぞれGUI表示の一例である。ここで、今回の構成では、ユーザ側からは図１１の第５階層：エピソードにシリーズ録画番組を置いた形になり、この中の番組を選択することで、番組再生や編集などの機能を実行できるものとする。
【００４７】
第２階層-第４階層の各カテゴリの表示ON/OFFは、下位階層(今回の構成では第５階層)に録画番組が存在すればカテゴリ表示ON、録画番組が存在しなければカテゴリ表示ＯＦＦとする。これにより、番組削除や録画番組のカテゴリ位置移動などによって、対応する管理テーブルを削除もしくは編集することで録画番組がカテゴリ内に存在しなくなった場合、GUI表示させず、ユーザ側からはカテゴリが消えたように見えるようにする。
【００４８】
図１２は、シリーズ番組予約録画のフローチャートの一例である。まず、録画開始前にユーザの判別を行い、その後、予約録画開始する。録画番組のデジタルデータであるSI情報にジャンル名(大分類)項目が存在するか確認し、存在すればデータを取得する。次にカテゴリ管理テーブルにそのジャンル名(大分類)が存在するか確認し、存在しなければ追加する。ジャンル名(中分類)、シリーズ名の場合も繰り返しカテゴリ情報を取得する。その他、SI情報からカテゴリ情報を抽出する場合は同様の処理を繰り返し行う。さらにSI情報からシリーズ情報を取得し、予約録画を実行する。予約録画実行後、番組管理テーブルに番組情報の追加記録を行い、全カテゴリ階層をGUI表示させる。これによって、ユーザからはカテゴリが自動的に生成されたように見える。つぎに、録画対象番組がシリーズ番組の場合はシリーズ管理テーブルにシリーズ情報の追加記録を行い、その後、各管理テーブルにその他必要情報（IDなど）を追加記録する。その後、次回放送予定のシリーズ番組が存在すれば、録画予約設定をし、最終話まで繰り返し録画を行う。存在しなければ、シリーズ予約録画終了とする。
【００４９】
以上のように、上記説明した実施の形態によれば、シリーズ録画対象番組の番組データの情報に従って、各属性階層のカテゴリ属性に合った属性の下位層に番組を格納するため、機器側が自動で番組を分類して格納し、ユーザが特に設定をする必要がなく、番組の整理をすることができ、装置の使い勝手が向上する。また、これに関連して、属性名やシリーズ番組名をユーザが入力する必要がなく、機器側が自動で設定できるため装置の使い勝手が向上する。さらに、カテゴリ管理機能を利用することで、シリーズ番組に対して属性単位での番組削除や編集を行うことができるためより一層装置の使い勝手を向上させることができる。
【００５０】
なお、記録媒体としては、ハードディスク等の磁気ディスク、MO等の光磁気ディスク、CD、DVD、BD等の光ディスク、フラッシュメモリ等の不揮発性メモリ等、いずれの記録媒体であっても構わない。
【００５１】
また、ここではデジタル放送の放送番組を記録する例を示して説明したが、これに限られず、アナログ放送の放送番組を記録する場合にも本実施例を適用可能である。この場合には、必要な番組情報はアナログ放送の信号とは別にインターネットを通じて受信することで解決される。また、放送に限られず、インターネットを通じたストリーム配信等にも適用可能である。この場合には、必要な番組情報は配信されるストリームから取得しても良いし、インターネットを通じて別ルートで取得しても良い。
【図面の簡単な説明】
【００５２】
【図１】本発明に係る記録再生装置の概略構成例を示すブロック図である。
【図２】は、本発明に係るデジタル記録再生装置において受信する放送の概略データ構成例を示す図その１である。
【図３】本発明に係る記録再生装置において属性を管理する管理フォーマットを示す図である。
【図４】本発明に係る記録再生装置においてシリーズ番組を管理する管理フォーマットを示す図である。
【図５】本発明に係る記録再生装置において録画済番組を管理する管理フォーマットを示す図である。
【図６】本発明に係る記録再生装置において各管理テーブル（カテゴリ管理テーブルとシリーズ管理テーブル、番組管理テーブル）同士の構成を示す図である。
【図７】本発明に係る記録再生装置においてディスプレイ上に表示されるＧＵＩの第１階層属性の表示構成を示す図である。
【図８】本発明に係る記録再生装置においてディスプレイ上に表示されるＧＵＩの第２階層属性の表示構成を示す図である。
【図９】本発明に係る記録再生装置においてディスプレイ上に表示されるＧＵＩの第３階層属性の表示構成を示す図である。
【図１０】本発明に係る記録再生装置においてディスプレイ上に表示されるＧＵＩの第４階層属性の表示構成を示す図である。
【図１１】本発明に係る記録再生装置においてディスプレイ上に表示されるＧＵＩの第５階層属性の表示構成を示す図である。
【図１２】本発明に係る記録再生装置においてシリーズ番組の予約録画のフローチャートである。
【図１３】は、本発明に係るデジタル記録再生装置において受信する放送の概略データ構成例を示す図その２である。
【図１４】は、本発明に係るデジタル記録再生装置において受信する放送の概略データ構成例を示す図その３である。
【符号の説明】
【００５３】
１０１…受信部、１０２…番組データ情報分離部、１０３…管理テーブル構築部、１０４…カテゴリ管理テーブル記録部、１０５…シリーズ管理テーブル記録部、１０６…番組管理テーブル記録部、１０７…番組一覧リスト表示部、１０８…記録再生制御部、１０９…記録再生部、１１０…デコード部、１１１…多重化部、１１２…番組選択部、Ｓ１０１…放送信号、Ｓ１０２…放送ストリーム、Ｓ１０３…番組データ情報、Ｓ１０４…カテゴリ管理テーブル構成内容データとシリーズ管理テーブル構成内容データ、番組管理テーブル構成内容データ、Ｓ１０５…シリーズ管理テーブル構成内容データ、Ｓ１０６…記録ストリーム、Ｓ１０７…記録・再生ストリーム、Ｓ１０８…再生ストリーム、Ｓ１０９…シリーズリスト表示用データ、Ｓ１１０…映像データ、Ｓ１１１…目次情報、Ｓ１１２…映像出力、Ｓ１１３…シリーズ選択情報、Ｓ１１４…シリーズ再生選択情報、Ｓ１１５…シリーズ再生選択情報、Ｓ１１６…シリーズ再生選択情報、３０１…カテゴリＩＤ、３０２…番組ＩＤ、３０３…カテゴリ属性、３０４…シリーズＩＤ、４０１…シリーズＩＤ、４０２…シリーズタイトル、４０３…総エピソード数、４０４…エピソード番号、４０５…録画ステータス、４０６…放送日、４０７…放送時間、５０１…録画番組ＩＤ、５０２…録画タイトル名、５０３…録画画質、５０４…録画ＣＨ、５０５…録画日時、５０６…録画時間、６０１…カテゴリ管理Ｔａｂｌｅ、６０２…シリーズ管理Ｔａｂｌｅ、６０３…番組管理Ｔａｂｌｅ、７０１…カテゴリ表示、７０２…シリーズカテゴリ、７０３…通常カテゴリ、７０４…ゴミ箱、７０５…全収録番組、７０６…カテゴリ表示、７０７…カテゴリ画面、７０８…収録数、７０９…カテゴリ数、７１０…未再生番組の有無、７１１…ロックの有無、７１２…カテゴリタイトル。
【図１】
2006352722.tif 000003
【図２】
2006352722.tif 000004
【図３】
2006352722.tif 000005
【図４】
2006352722.tif 000006
【図５】
2006352722.tif 000007
【図６】
2006352722.tif 000008
【図７】
2006352722.tif 000009
【図８】
2006352722.tif 000010
【図９】
2006352722.tif 000011
【図１０】
2006352722.tif 000012
【図１１】
2006352722.tif 000013
【図１２】
2006352722.tif 000014
【図１３】
2006352722.tif 000015
【図１４】
2006352722.tif 000016